【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
現像剤を収納する現像剤容器であって、
前記現像剤を収納する現像剤収納室と前記現像剤収納室から前記現像剤を排出する開口とが設けられた枠体と、
前記枠体に剥離可能に固定され、前記開口を封止する封止部材であって、前記現像剤収納室に備えられた封止部材と、
前記枠体に回転可能に支持され、前記封止部材を剥離する開封部材であって、前記現像剤収納室に備えられた開封部材と、
前記開封部材と接続し、前記開封部材を回転させる駆動部材と、
を有し、
前記封止部材は、前記開封部材に固定される第１の固定部と、前記開口の周りにおいて前記枠体に固定される第２の固定部と、前記開封部材の回転軸線方向において、前記駆動部材が配置される駆動側に位置する駆動側端部と、前記駆動側の反対側の被駆動側に位置する被駆動側端部と、を有し、
前記開封部材は、前記第２の固定部の長手方向と交差する方向に、前記封止部材を剥離するように構成され、
前記第１の固定部と前記第２の固定部の間における前記封止部材の面積が、前記回転軸線方向における前記第２の固定部の中央から前記駆動側よりも、前記中央から前記被駆動側が小さくなるように、前記第１の固定部と前記第２の固定部の間において、前記封止部材の前記被駆動側端部に前記被駆動側から前記駆動側に向かう傾斜部が形成されることを特徴とする現像剤容器。
【請求項２】
前記封止部材は、前記第１の固定部と前記第２の固定部との間に折り返し部を有し、
前記封止部材が前記枠体から剥離される際に前記封止部材が引っ張られる引張方向は、
前記折り返し部から前記封止部材の先端部に向けう方向を含むことを特徴とする請求項１に記載の現像剤容器。
【請求項３】
前記開封部材に固定され、前記現像剤を搬送する搬送部材を有することを特徴とする請求項１または２に記載の現像剤容器。
【請求項４】
前記回転軸線方向に直交する直交方向において、前記第１の固定部と前記第２の固定部との間が前記封止部材で連結されている領域で、前記封止部材の長さを測った時、前記領域内における前記長さの最大値と最小値の差は、前記長手方向に直交する方向における、前記開口の幅よりも小さいことを特徴とする請求項１から３のいずれか一項に記載の現像剤容器。
【請求項５】
前記回転軸線方向は、前記長手方向と平行であることを特徴とする請求項１から４のいずれか一項に記載の現像剤容器。
【請求項６】
前記回転軸線方向において、前記被駆動側端部の最外側部と最内側部の間の距離は、前記駆動側端部の最外側部と最内側部の間の距離よりも長いことを特徴とする請求項１から５のいずれか一項に記載の現像剤容器。
【請求項７】
前記回転軸線方向において、前記被駆動側端部の前記最内側部は、前記被駆動側における前記第２の固定部の端部よりも内側に位置することを特徴とする請求項６に記載の現像剤容器。
【請求項８】
前記回転軸線方向において、前記駆動側端部の前記最内側部は、前記駆動側における前記第２の固定部の端部よりも外側に位置することを特徴とする請求項６または７に記載の現像剤容器。
【請求項９】
前記回転軸線方向と前記長手方向が平行なときに、剥離された前記封止部材の前記駆動側端部の前記最外側部と、前記被駆動側端部の前記最外側部は、前記開口の外側に位置することを特徴とする請求項６から８のいずれか一項に記載の現像剤容器。
【請求項１０】
前記回転軸線方向おいて、前記傾斜部の長さは、前記封止部材の長さの２分の１から４分の１であることを特徴とする請求項１から９のいずれか一項に記載の現像剤容器。
【請求項１１】
前記回転軸線方向において、前記第１の固定部の長さは前記第２の固定部の長さよりも短く、かつ
前記中央から前記第１の固定部の端部までの長さは、前記駆動側の長さよりも前記被駆動側の長さが短いことを特徴とする請求項１から１０のいずれか一項に記載の現像剤容器。
【請求項１２】
前記傾斜部が前記被駆動側から前記駆動側に向かい始める位置は、前記回転軸線と交差する方向において、前記第２の固定部よりも前記第１の固定部側であることを特徴とする請求項１から１１のいずれか一項に記載の現像剤容器。
【請求項１３】
前記回転軸線方向において、前記被駆動側における前記第１の固定部の端部は、前記被駆動側端部のうち、前記傾斜部が設けられている部分と一致することを特徴とする請求項１から１２のいずれか一項に記載の現像剤容器。
【請求項１４】
前記封止部材は、前記第２の固定部と前記第１の固定部の間に少なくとも１つの穴部を有すること、を特徴とする請求項１から１３のいずれか一項に記載の現像剤容器。
【請求項１５】
重力方向において、前記開口は、前記回転軸線の上方に位置することを特徴とする請求項１から１４のいずれか一項に記載の現像剤容器。
【請求項１６】
像担持体に形成された静電潜像を現像する現像剤担持体と、
請求項１から１５のいずれか一項に記載の現像剤容器と、
を有することを特徴とする現像装置。
【請求項１７】
前記枠体に、前記現像剤担持体を収納する現像室が設けられることを特徴とする請求項１６に記載の現像装置。
【請求項１８】
重力方向において、前記現像室は、前記現像剤収納室の上方に位置することを特徴とする請求項１７に記載の現像装置。
【請求項１９】
前記像担持体と、
請求項１６から１８のいずれか一項に記載の現像装置と、
を有することを特徴とするプロセスカートリッジ。
【請求項２０】
請求項１から１５のいずれか一項に記載の現像剤容器が着脱可能であることを特徴とする画像形成装置。
【手続補正２】
【補正対象書類名】明細書
【補正対象項目名】０００７
【補正方法】変更
【補正の内容】
【０００７】
本発明は、現像剤収納室から現像剤を排出する開口を封止する封止部材が固定され、回転することで封止部材を剥離する開封部材が設けられた構成において、開封部材を回転するために必要な力を低減させることを目的とする。
【手続補正３】
【補正対象書類名】明細書
【補正対象項目名】０００８
【補正方法】変更
【補正の内容】
【０００８】
上記課題を解決するため、本出願にかかる発明は、
現像剤を収納する現像剤容器であって、
前記現像剤を収納する現像剤収納室と前記現像剤収納室から前記現像剤を排出する開口とが設けられた枠体と、
前記枠体に剥離可能に固定され、前記開口を封止する封止部材であって、前記現像剤収納室に備えられた封止部材と、
前記枠体に回転可能に支持され、前記封止部材を剥離する開封部材であって、前記現像剤収納室に備えられた開封部材と、
前記開封部材と接続し、前記開封部材を回転させる駆動部材と、
を有し、
前記封止部材は、前記開封部材に固定される第１の固定部と、前記開口の周りにおいて前記枠体に固定される第２の固定部と、前記開封部材の回転軸線方向において、前記駆動部材が配置される駆動側に位置する駆動側端部と、前記駆動側の反対側の被駆動側に位置する被駆動側端部と、を有し、
前記開封部材は、前記第２の固定部の長手方向と交差する方向に、前記封止部材を剥離するように構成され、
前記第１の固定部と前記第２の固定部の間における前記封止部材の面積が、前記回転軸線方向における前記第２の固定部の中央から前記駆動側よりも、前記中央から前記被駆動側が小さくなるように、前記第１の固定部と前記第２の固定部の間において、前記封止部材の前記被駆動側端部に前記被駆動側から前記駆動側に向かう傾斜部が形成されることを特徴とする現像剤容器である。